(57)【要約】【課題】小型化且つ低消費電力化であって高Ｓ／Ｎ比が得られるＦＭトランスミッタ装置の提供。【解決手段】ＦＭトランスミッタ装置は、音声信号を対数圧縮する音声信号処理コンプレッション１と、音声信号処理コンプレッション１からの変調信号とチャンネル周波数設定信号Ｃとをそれぞれ入力として基準クロックを受けて作動しＦＭ高周波を送出するＦＭ放送帯送信用ワンチップＩＣ４と、局部発振器を構成するＳＡＷレゾネータ５及び７００ＭＨｚ帯ＳＡＷ発振回路６と、この発振回路６からの無変調高周波とＦＭ放送帯送信用ワンチップＩＣ４からのＦＭ高周波を混合して周波数変換する混合回路７と、混合回路７からの混合波のうち不要周波数を除去して８００ＭＨｚ帯の高周成分を取り出すＳＡＷフィルタ８とを有する。【選択図】      図１
2008177818.tif 000002
【特許請求の範囲】
【請求項１】
音声信号に基づく変調波と搬送波設定信号とをそれぞれ入力として作動するＦＭ放送帯送信用ワンチップＩＣ及び発振器を用い、前記ＦＭ放送帯送信用ワンチップＩＣ及び前記発振器のいずれか一方から得られる無変調高周波とその他方から得られるＦＭ高周波とを混合回路で混合して混合波を生成し、この混合波から不要周波数をフィルタ手段で除去して８００ＭＨｚ帯の送信ＦＭ波を生成して成ることを特徴とするＦＭトランスミッタ装置。
【請求項２】
請求項１に記載のＦＭトランスミッタ装置において、前記無変調高周波は前記発振器から得られる発振波であり、前記ＦＭ高周波はＦＭ放送帯送信用ワンチップＩＣから得られる被変調波であることを特徴とするＦＭトランスミッタ装置。
【請求項３】
請求項１に記載のＦＭトランスミッタ装置において、前記無変調高周波は変調波を非入力とすると共に搬送波設定信号を入力とする前記ＦＭ放送帯送信用ワンチップＩＣから得られる搬送波であり、前記ＦＭ高周波は音声波に基づく変調波で前記発振器の付加容量をアナログ変化させて得られる被変調波であることを特徴とするＦＭトランスミッタ装置。
【請求項４】
請求項１乃至請求項３のいずれか一項に記載のＦＭトランスミッタ装置において、前記発振器はＳＡＷレゾネータ発振器であることを特徴とするＦＭトランスミッタ装置。
【請求項５】
請求項項１乃至請求項４のいずれか一項に記載のＦＭトランスミッタ装置において、前記フィルタ手段はＳＡＷフィルタであることを特徴とするＦＭトランスミッタ装置。
【発明の詳細な説明】
【技術分野】
【０００１】
本発明は、ワイヤレスマイクロフォン（ラジオマイク）装置やワイヤレス用トランスミッタ装置などに用いるに好適なＦＭトランスミッタ装置に関する。
【背景技術】
【０００２】
電波法の関係から一般的に国内及び海外のワイヤレスマイクロフォン装置は８００ＭＨｚ帯付近で運用されるものが多く、許可帯域内でチャンネル周波数を任意に設定できるＰＬＬ周波数シンセサイザー方式が広く用いられている。この方式のうち８００ＭＨｚ帯で作動するＶＣＯ（電圧制御発振器）を使用するストレート方式では、ＶＣＯからのＦＭ高周波の周波数とアンテナからの送信周波数とが同一の８００ＭＨｚ帯であることから、アンテナからＶＣＯに電子回路上のフィードバックが生じてカップリングし、アンテナに手を触れた際などに周波数にふらつきが生じる。このため、送信出力段とアンテナとの間にアイソレータを挿入してＳパラメータ反射係数（Ｓ１１）を軽減すると共に、送信増幅回路の各段に減衰器を挿入して順方向増幅度を増加させて反射特性を改善する措置が講じられている。ところが、アンテナからの輻射電力が空間を介してＶＣＯにカップリングし、なおも周波数のふらつきが生じるので、ＶＣＯにシールドを施した上、送信回路全体にシールドを施す必要があり、２重シールの手間と大型化を招いていた。また、ＶＣＯの後段では減衰と増幅を交互に行うため、消費電力が大きい。
【０００３】
一方、４００ＭＨｚ帯で作動するＶＣＯと２逓倍回路などを用いる逓倍方式では、アンテナとＶＣＯとのカップリングが低減して周波数のふらつきを抑制でき、シールド処理の負担が軽減する。
【発明の開示】
【発明が解決しようとする課題】
【０００４】
逓倍方式では、ＶＣＯで発生する位相雑音も逓倍回路で乗算されてしまうため、Ｓ／Ｎ比の劣化を招く。
【０００５】
そこで上記各問題点に鑑み、本発明の課題は、小型化且つ低消費電力化であって高Ｓ／Ｎ比が得られるＦＭトランスミッタ装置を提供することにある。
【課題を解決するための手段】
【０００６】
本発明に係るＦＭトランスミッタ装置は、音声信号に基づく変調波と搬送波設定信号とをそれぞれ入力として作動するＦＭ放送帯送信用ワンチップＩＣ及び発振器を用い、前記ＦＭ放送帯送信用ワンチップＩＣ及び前記発振器のいずれか一方から得られる無変調高周波とその他方から得られるＦＭ高周波とを混合回路で混合して混合波を生成し、この混合波から不要周波数をフィルタ手段で除去して８００ＭＨｚ帯の送信ＦＭ波を生成する。
【０００７】
なお、「８００ＭＨｚ帯」とは８００ＭＨｚの近傍周波数も含み、ワイヤレスマイクロフォン装置などに許可される帯域を意味する。
【０００８】
ＦＭ放送帯送信用ワンチップＩＣとしては市販品（例えばローム株式会社製の型番ＢＨ１４２５など）を用いることができるため小型化及び低消費電力化を図ることができることは勿論、ストレート方式や逓倍方式とは全く異なり、混合回路で無変調高周波とＦＭ高周波とを混合して混合波を生成し、この混合回路での周波数変換後に、不要周波数をフィルタ手段で除去して８００ＭＨｚ帯の送信ＦＭ波を生成しているので、小型化且つ低消費電力化であって高Ｓ／Ｎ比が得られる。
【０００９】
混合回路での周波数変換においては、発振器を無変調高周波出力する局部発振器として利用する場合と、ＦＭ放送帯送信用ワンチップＩＣを無変調高周波出力する局部発振器として利用する場合とがある。前者の場合、無変調高周波は発振器から得られる発振波であり、ＦＭ高周波はＦＭ放送帯送信用ワンチップＩＣから得られる被変調波となるが、後者の場合、無変調高周波は変調波を非入力とすると共に搬送波設定信号を入力とするＦＭ放送帯送信用ワンチップＩＣから得られる搬送波であり、ＦＭ高周波は音声波に基づく変調波で発振器の付加容量をアナログ変化させて得られる被変調波となる。
【００１０】
ここで、発振器としてはＳＡＷレゾネータ発振器であることが望ましい。また、バンドパスフィルタとしてのフィルタ手段はＳＡＷフィルタであることが望ましい。
【発明の効果】
【００１１】
本発明によれば、小型化且つ低消費電力化であって高Ｓ／Ｎ比が得られるＦＭトランスミッタ装置を提供できる。
【発明を実施するための最良の形態】
【００１２】
次に、本発明の実施形態を添付図面に基づいて説明する。図１は本発明の実施例１に係るＦＭトランスミッタ装置を示すブロック図である。
【００１３】
このＦＭトランスミッタ装置は、ＰＬＬ周波数シンセサイザー方式のワイヤレスマイクロフォン（ラジオマイク）装置やワイヤレス用ＦＭトランスミッタ装置などに適用でき、マイクロフォン等からの音声信号を対数圧縮する音声信号処理コンプレッション１と、基準クロックを発振するクロック生成発振器２と、基準クロックを受けて周波数制御信号によりチャンネル周波数設定信号Ｃを出力する制御ＣＰＵ３と、音声信号処理コンプレッション１からの変調信号とチャンネル周波数設定信号Ｃとをそれぞれ入力として基準クロックを受けて作動し７８ＭＨｚ〜１０８ＭＨｚ帯域のＦＭ高周波（被変調波）を送出するＦＭ放送帯送信用ワンチップＩＣ４と、局部発振器を構成するＳＡＷレゾネータ（表面弾性波発振素子）５及び７００ＭＨｚ帯ＳＡＷ発振回路６と、この発振回路６からの無変調高周波とＦＭ放送帯送信用ワンチップＩＣ４からのＦＭ高周波を混合して周波数変換する混合回路７と、混合回路７からの混合波のうち不要周波数（直流成分、うなり周波成分、第２高調成分など）を除去して８００ＭＨｚ帯（７７８ＭＨｚ〜８０８ＭＨｚ）の高周成分（送信ＦＭ波）の方を取り出すバンドパスフィルタとしてのＳＡＷフィルタ８と、この高周成分を電力増幅する送信電力増幅器９と、電波輻射するアンテナ１０とを有している。ＦＭ高周波を出力するＦＭ放送帯送信用ワンチップＩＣ４としては、プリエンファシス回路，リミッタ回路，ＬＰＦ，ＰＬＬ周波数シンセサイザなどを内蔵した市販品（例えばローム株式会社製の型番ＢＨ１４２５など）が用いられる。
【００１４】
ＦＭ放送帯送信用ワンチップＩＣ４を用いているため、小型化及び低消費電力化を図ることができる。しかも、混合回路７で無変調高周波とＦＭ高周波とを混合して混合波を生成し、この混合回路７での周波数変換後に、不要周波数をＳＡＷフィルタ８で除去して８００ＭＨｚ帯の送信ＦＭ波を生成しているので、小型化且つ低消費電力化であって高Ｓ／Ｎ比が得られる。
【００１５】
図２は本発明の実施例２に係るＦＭトランスミッタ装置を示すブロック図である。この図２において図１に示す部分と同一部分には同一参照符号を付し、その説明は省略する。
【００１６】
本例の実施例１と異なる点は、ＦＭ放送帯送信用ワンチップＩＣ４を無変調高周波を発振する発振器として使用するため、音声信号処理コンプレッション１からの変調信号は非入力として無変調高周波を混合回路７に出力すると共に、ＳＡＷレゾネータ５に可変容量ダイオード１１を接続し、その付加容量を音声信号処理コンプレッション１からの変調信号でアナログ変化させて７００ＭＨｚ帯ＳＡＷ発振回路６から被変調波のＦＭ高周波を混合回路７に出力するようになっている。
【００１７】
本例においても、ＦＭ放送帯送信用ワンチップＩＣ４を用いているため、小型化及び低消費電力化を図ることができる。また、混合回路７で無変調高周波とＦＭ高周波とを混合して混合波を生成し、この混合回路７での周波数変換後に、不要周波数をＳＡＷフィルタ８で除去して８００ＭＨｚ帯の送信ＦＭ波を生成しているので、小型化且つ低消費電力化であって高Ｓ／Ｎ比が得られる。
【００１８】
図３は本発明の実施例３に係るＦＭトランスミッタ装置を示すブロック図である。この図３において図１に示す部分と同一部分には同一参照符号を付し、その説明は省略する。
【００１９】
本例は実施例１の拡張したもので、ＦＭ放送帯送信用ワンチップＩＣ４′はステレオエンコーダ（図示せず）を内蔵しており、右音声信号Ｒと左音声信号Ｌとを音声信号処理コンプレッション１′で対数圧縮した後、ＦＭ放送帯送信用ワンチップＩＣ４′が両信号をそれぞれ変調入力としてそれぞれのＦＭ高周波を出力するようになっている。このため、ステレオワイヤレス，イヤーモニター送信装置などにも適用できる。
【図面の簡単な説明】
【００２０】
【図１】本発明の実施例１に係るＦＭトランスミッタ装置を示すブロック図である。
【図２】本発明の実施例２に係るＦＭトランスミッタ装置を示すブロック図である。
【図３】本発明の実施例３に係るＦＭトランスミッタ装置を示すブロック図である。
【符号の説明】
【００２１】
１，１′…音声信号処理コンプレッション
２…クロック生成発振器
３…制御ＣＰＵ
４，４′…ＦＭ放送帯送信用ワンチップＩＣ
５…ＳＡＷレゾネータ
６…７００ＭＨｚ帯ＳＡＷ発振回路
７…混合回路
８…ＳＡＷフィルタ
９…送信電力増幅器
１０…アンテナ
１１…可変容量ダイオード
Ｃ…チャンネル周波数設定信号
Ｌ…左音声信号
Ｒ…右音声信号
【図１】
2008177818.tif 000003
【図２】
2008177818.tif 000004
【図３】
2008177818.tif 000005